(57)【要約】【課題】  取水口に流入する塵芥を人的な手間をかけないで処理する。【解決手段】  本川から取水する取水口３に設置される塵芥除去装置１であって、円環状の横バー２５を上下多段に配置した円筒状に形成されており、前記本川から前記取水口３に流入してくる流水中に含まれる塵芥を捕捉するスクリーン４と、該スクリーン４を上下方向の回転軸線Ａ回りに回転させる駆動部６とを有し、前記スクリーン４は、前記駆動部６によって、前記本川に臨む側が前記本川の流れに沿う向きで移動するように回転されることで、該スクリーン４で捕捉した塵芥を該スクリーン４から本川の下流側に送り出すようになっている。【選択図】    図１
2005194751.tif 000002
【特許請求の範囲】
【請求項１】
本川から取水する取水口に設置される塵芥除去装置であって、
円環状の横バーを上下多段に配置した円筒状に形成されており、前記本川から前記取水口に流入してくる流水中に含まれる塵芥を捕捉するスクリーンと、
該スクリーンを上下方向の回転軸線回りに回転させる駆動部とを有し、
前記スクリーンは、前記駆動部によって、前記本川に臨む側が前記本川の流れに沿う向きで移動するように回転されることで、該スクリーンで捕捉した塵芥を該スクリーンから本川の下流側に送り出すようになっていることを特徴とする塵芥除去装置。
【請求項２】
本川から取水する取水口に設置される塵芥除去装置であって
前記取水口の両側に立設されたシーブ軸と、両側のシーブ軸に巻き掛けて前記取水口を横切るようにして両シーブ軸間に張設した部分である張設部を形成せしめた無端ワイヤと、前記無端ワイヤを回転駆動させる駆動部とを有し、
前記シーブ軸間に上下多段に配置された前記張設部によって、前記本川から前記取水口に流入してくる流水中に含まれる塵芥を捕捉するスクリーンが構成されており、
前記駆動部によって前記無端ワイヤを回転駆動して、前記無端ワイヤの内、前記スクリーンを構成する各張設部を前記本川の流れに沿う向きで移動させることで、前記スクリーンで捕捉した塵芥を該スクリーンから本川の下流側に送り出すようになっていることを特徴とする塵芥除去装置。
【請求項３】
両側のシーブ軸に複数回折り返すようにして巻き掛けられた１本の無端ワイヤによって、前記スクリーンを構成する全ての張設部が形成されていることを特徴とする請求項２記載の塵芥除去装置。
【請求項４】
前記スクリーンにて捕捉された塵芥を掻き取るスイーパが、前記スクリーンの前記本川下流側に位置する端部に近接配置されていることを特徴とする請求項１から請求項３のいずれか１項に記載の塵芥除去装置。
【発明の詳細な説明】
【技術分野】
【０００１】
本発明は、河川や用水路等から取水する取水口に設置される塵芥除去装置に関する。
【背景技術】
【０００２】
河川や用水路等（以下、本川とも言う）から取水する取水口に配置される塵芥除去装置としては、塵芥捕捉用のバースクリーンを用いたものが一般的であるが、スクリーンに塵芥が溜まりやすく、この塵芥が、取水口への水の流入を阻害しがちとなるため、スクリーンに溜まった塵芥の除去が必要となる。このため、スクリーンに溜まった塵芥を熊手等を用いて人手によって陸上に引き揚げるなどの対策を取られるが、大規模施設においては、スクリーンに溜まった塵芥を引き揚げる機構（以下、塵芥引き揚げ機構とも言う）を有する機械式の塵芥除去装置が普及している。この機械式の塵芥除去装置の塵芥引き揚げ機構としては、例えば、スクリーンの本川側に配置したレーキや捕網袋をクレーン装置等を用いて上昇させて塵芥を引き揚げる構成、チェーン等の無端条体に取り付けたレーキや捕網袋を無端条体の回転駆動によってスクリーンの本川側にて上昇させ塵芥を引き揚げて回収する構造のものなど、各種構造のものが提案されている（例えば、特許文献１、２）。なお、バースクリーンとしては、塵芥引き揚げ作業の効率確保等に鑑みて、縦バー式が主流であった。
【特許文献１】特開２００２−３１７４２８号公報
【特許文献２】特開平１１−１６６２２３号公報
【発明の開示】
【発明が解決しようとする課題】
【０００３】
上述した従来技術は、いずれもスクリーンに捕捉された塵芥を地上に引き揚げて回収するものである。しかしながら、（１）回収した塵芥の搬送、処理に労力を要する、（２）回収した塵芥の処理を怠った場合、藁や草等の有機性の塵芥が腐敗した悪臭がひどく、環境問題となる、といった問題があり、抜本的な改善が求められていた。
【０００４】
この発明は、このような事情を考慮してなされたもので、その目的は、取水口に流入する塵芥を人的な手間をかけないで処理する塵芥除去装置を提供することにある。
【課題を解決するための手段】
【０００５】
上記目的を達成するために、この発明は以下の手段を提案している。
請求項１記載の発明の塵芥除去装置は、本川から取水する取水口に設置される塵芥除去装置であって、円環状の横バーを上下多段に配置した円筒状に形成されており、前記本川から前記取水口に流入してくる流水中に含まれる塵芥を捕捉するスクリーンと、該スクリーンを上下方向の回転軸線回りに回転させる駆動部とを有し、前記スクリーンは、前記駆動部によって、前記本川に臨む側が前記本川の流れに沿う向きで移動するように回転されることで、該スクリーンで捕捉した塵芥を該スクリーンから本川の下流側に送り出すようになっていることを特徴とする。
この塵芥除去装置によれば、取水口に流入してくる流水中に含まれる塵芥を円筒状のスクリーンで捕捉する。そして、スクリーンが駆動部により回転軸線回りに本川の流れに沿う向きで移動するように回転させられることにより、捕捉した塵芥を本川の流れによって下流側に送り出す。この結果、塵芥がスクリーンに留まることがないので、塵芥を回収する手間とコストとを省くことができるとともに、塵芥を保管したときの悪臭を防止できる。また、横バー式のスクリーンを採用したことにより、縦バーに比べて塵芥が絡まりにくくなっているため、塵芥を本川の下流側に送り出しやすくなっている。
【０００６】
請求項２記載の発明の塵芥除去装置は、本川から取水する取水口に設置される塵芥除去装置であって前記取水口の両側に立設されたシーブ軸と、両側のシーブ軸に巻き掛けて前記取水口を横切るようにして両シーブ軸間に張設した部分である張設部を形成せしめた無端ワイヤと、前記無端ワイヤを回転駆動させる駆動部とを有し、前記シーブ軸間に上下多段に配置された前記張設部によって、前記本川から前記取水口に流入してくる流水中に含まれる塵芥を捕捉するスクリーンが構成されており、前記駆動部によって前記無端ワイヤを回転駆動して、前記無端ワイヤの内、前記スクリーンを構成する各張設部を前記本川の流れに沿う向きで移動させることで、前記スクリーンで捕捉した塵芥を該スクリーンから本川の下流側に送り出すようになっていることを特徴とする。
この発明によれば、取水口の両側のシーブ軸に巻き掛けた無端ワイヤによって前記取水口を横切るようにして両シーブ軸間に張設された部分である張設部が上下多段に形成されており、この上下多段の前記張設部が、前記本川から前記取水口に流入してくる流水中に含まれる塵芥を捕捉するスクリーンを構成する。この塵芥除去装置では、無端ワイヤを駆動部によって回転駆動することで、スクリーンを構成する張設部を本川上流側から下流側へ送り移動することができ、これにより、スクリーン（具体的には張設部）に捕捉した塵芥を移送し、スクリーンから本川下流側に送り出すことができる。この結果、塵芥がスクリーンに留まることがないので、塵芥を回収する手間とコストとを省くことができるとともに、塵芥を保管したときの悪臭を防止できる。また、この塵芥除去装置は、シーブ軸間の間隔を変更することにより、スクリーンの大きさを変更することができるので、取水口の大きさに合わせて塵芥除去装置のスクリーンを設定することができるといった利点もある。
【０００７】
また、請求項２記載の発明に係る塵芥除去装置としては、両側のシーブ軸に複数回折り返すようにして巻き掛けられた１本の無端ワイヤによって、前記スクリーンを構成する全ての張設部が形成されている構成も採用可能である。この場合、スクリーンを形成する無端ワイヤが１本のみで済むため、例えば、無端ワイヤの張り替えなどのメンテナンスの手間を省力化できるといった利点がある。
【０００８】
請求項４に係る発明は、請求項１〜３のいずれかに記載の塵芥除去装置において、前記スクリーンにて捕捉された塵芥を掻き取るスイーパが、前記スクリーンの前記本川下流側に位置する端部に近接配置されていることを特徴とする。
【発明の効果】
【０００９】
本発明によれば、前記本川から前記取水口に流入してくる流水中に含まれる塵芥を捕捉するスクリーンの回転駆動（円筒状スクリーンの回転駆動、スクリーンを形成する無端ワイヤの回転駆動）によって、スクリーン（具体的には張設部）に捕捉した塵芥をスクリーンの本川下流側端部へ向けて移送することで、本川の水流の作用によって、スクリーンから分離して、本川に送り出すことができる。この結果、塵芥がスクリーンに留まることがないので、塵芥を回収する手間とコストとを省くことができるとともに、塵芥を保管したときの悪臭を防止できる。
さらに、前記スクリーンにて捕捉された塵芥を掻き取るスイーパが、前記スクリーンの前記本川下流側に位置する端部に近接配置されている構成を採用することで、スクリーンに捕捉された塵芥の内、スクリーンを回転駆動（円筒状スクリーンの回転駆動、スクリーンを形成する無端ワイヤの回転駆動）して本川の水流を作用させてもスクリーンから分離できずにスクリーンに残った塵芥も確実にスクリーンから除去できる。
【発明を実施するための最良の形態】
【００１０】
以下、図面を参照し、この発明の実施の形態について説明する。
【００１１】
図１から図３はこの発明の第１実施形態の塵芥除去装置を示す。
前記塵芥除去装置１は、本川２から取水する取水口３に設置されるものであって、図１〜図３において、符号４はスクリーン、５は支持フレーム、６は駆動部、７はスイーパ、８は防塵ゴムである。なお、図１において本川２は、左側から右側に流れるものであって、図１左側を上流側、図１右側を下流側ということがある。
【００１２】
図１、図２に示す塵芥除去装置１は、取水口３に設置されたスクリーンユニット４Ａと、取水口３の上部にて該取水口３を跨ぐようにして取水口３の両側の壁部１１，１２間に架設された支持フレーム５と、前記スクリーンユニット４Ａを回転軸線Ａ回りに回転駆動する駆動部６とを有している。また、この実施形態では、図中符号７のスイーパ、及び、符号８の防塵ゴムも、塵芥除去装置１の構成要素である。
【００１３】
前記スクリーンユニット４Ａは、円筒状のスクリーン４と、このスクリーン４の中心軸線上に配置された主軸２１と、前記スクリーン４の内側に組み立てられ前記スクリーン４と前記主軸２１とを連結固定する連結フレームを構成する支持枠材２２、２３、２４とを有している。
【００１４】
スクリーン４は、リング状の横バー２５を間隔をおいて上下多段に配置して外観円筒状に組み立てられたバースクリーンである（以下、スクリーン４を、バースクリーンということがある）。符号２６は、隣り合う横バー２５間の間隔を維持するディスタンスピースである。バースクリーン４の各横バー２５は、ディスタンスピース２６よりもバースクリーン４の径方向外側に突出されている。
【００１５】
支持枠材２２、２３、２４が構成する前記連結フレームは、主軸２１から該主軸２１の軸方向に対する直交方向に延びる複数本の横材（支持枠材）２２、２３の先端に、主軸２１の軸方向に平行に延在する縦材（支持枠材）２４を固定した構造であり、スクリーン４の内面に沿って配置された縦材２４にスクリーン４が固定されている。
【００１６】
前記スクリーンユニット４Ａは、主軸２１が上下となる向きで取水口３に設置されている（図１等に例示した構成では、主軸２１が鉛直方向となる向き）。前記主軸２１の上端は、支持フレーム５に取り付けられている上部軸受１４Ａに回転自在に支持され、主軸２１の下端は、取水口３の床部３ａに設置された下部軸受１４Ｂによって回転自在に支持されており、スクリーンユニット４Ａは、駆動部６の駆動力によって、主軸２１を中心として回転駆動される。駆動部６としては、例えば電動モータなどが用いられる。また、駆動部６は、図示例では、支持フレーム５上に設置されているが、駆動部６の設置位置は、これに限定されず、適宜変更可能であることは言うまでも無い。
【００１７】
スクリーンユニット４Ａのスクリーン４は、取水口３の開口幅Ｗ（両側壁部１１、１２の離隔距離）とほぼ一致する外径を有している。また、スクリーンユニット４Ａは、平面視半分程度が取水口３内に配置され、残りが本川２に突出するように設置されている。
駆動部６によるスクリーンユニット４Ａの回転駆動は、スクリーン４の内の本川２に臨む部分（以下、本川側部分。符号Ａ）が、本川２の流れに沿う方向に移動される向き（矢印Ｍ）でなされる。なお、本川側部分Ａとは、スクリーン４の内、取水口３の両側壁部１１、１２との間の距離が最も近い部位から本川２側に位置する部分のことを指し、図２、図３の例では、丁度、取水口３の両側壁部１１、１２から本川２側に突出された部分が相当する。
【００１８】
スイーパ７は、この実施の形態では、取水口３の両側壁部１１、１２の内の本川２下流側に位置する側壁部１２に固定された固定レーキである（以下、スイーパを、固定レーキとも言う）。この固定レーキ７は、細長板状に形成されたものであって、上下に延在するように配置されている。この固定レーキ７は、側壁部１２から突出する先端がバースクリーン４の側面に接触されており、バースクリーン４が前述の矢印Ｍの方向に回転駆動されることで、バースクリーン４にて捕捉された塵芥を掻き取るようにしてバースクリーン４から分離する機能を果たす。しかも、図３に示すように、固定レーキ７のバースクリーン４側先端は、該固定レーキ７の長手方向の複数箇所に間隔をおいて形成されたＶ字状の凹所７ａによって櫛歯状となっており、バースクリーン４は、各横バー２５が前記凹所７ａに収納された状態を保ったまま回転駆動されるため、固定レーキ７によるバースクリーン４からの塵芥の掻き取り、分離は、効率良くなされる。なお、固定レーキ７は、先端が、バースクリーン４のディスタンスピース２６と衝突しないように、取り付け位置が調整されることは言うまでも無い。
【００１９】
図１、図２に示すように、取水口３の両側の側壁部１１、１２の内の本川２上流側に位置する側壁部１１に取り付けられた防塵ゴム８は、バースクリーン４の横バー２５の外端と接するようにして配置されており、側壁部１１とバースクリーン４との間の隙間から塵芥が取水口３内に流入することを防止する機能を果たす。
【００２０】
上記の構成からなる塵芥除去装置１によれば、取水口３に流入する流水中に含まれる塵芥を、バースクリーン４の本川側部分によって捕捉して、取水口３に塵芥が流入することを防止できる。ここで、本川２からスクリーンユニット４Ａを透過して取水口３に流入する水の流れは、バースクリーン４の本川側部分Ａの内、本川２上流側の領域Ａ１を透過するものが主であり、バースクリーン４の本川側部分Ａの前記領域Ａ１以外では、本川２からの水の流入は少ないため、図２中矢印Ｌあるいは矢印Ｌに近い向きの水流が存在する。バースクリーン４による塵芥の捕捉は、バースクリーン４の本川側部分Ａの内の前記領域Ａにて集中的になされるが、この塵芥除去装置１によれば、駆動部６によってスクリーンユニット４Ａを矢印Ｍの方向に回転させることで、領域Ａ１にて捕捉された塵芥を、バースクリーン４の本川側部分Ａの内の本川２下流側端部（以下、下流側端部Ａ２という場合がある）に移送することとなり、バースクリーン４に捕捉された塵芥は、バースクリーン４の回転によって下流側端部Ａ２に到達するまでに、本川２の水の流れにより横バー２５から分離される。また、横バー２５から分離されずに下流側端部Ａ２に到達した塵芥は、側壁部１１に設けられたスイーパ７により掻き出されて、本川２の下流側に送り出される。これにより、バースクリーン４によって捕捉した塵芥をバースクリーン４から分離できるため、バースクリーン４に捕捉された塵芥が溜まることによって取水量が影響を受けるといった不都合を防止でき、所望の取水量を安定に確保できる。しかも、塵芥を地上に回収する必要が無いため、回収した塵芥の処理などの手間やコストを無くすことができる、といった優れた効果が得られる。
【００２１】
なお、駆動部６によるスクリーンユニット４Ａの回転は、必要時のみ、あるいは常時、あるいは間歇的（自動制御での間歇運転）のいずれでも良い。スクリーンユニット４Ａの回転を常時あるいは自動で一定時間毎に間歇的に行う構成を採用すれば、作業者がスクリーンに堪った塵芥を監視する手間が省けるといった利点もある。
また、前記塵芥除去装置１では、バースクリーン４が横バー２５で構成されており、本川２の流れに乗って移動してくる塵芥が、本川２の流れＬに沿った向きに延在する横バー２５に絡まりにくい。このことから、スクリーン４に捕捉された塵芥をスクリーンユニット４Ａの回転駆動によって本川２に送り出すようにしてスクリーン４から分離することも容易である。
【００２２】
また、上記の構成の塵芥除去装置１のスクリーンユニット４Ａは、主軸２１を有する構成であったが、スクリーンユニットの具体的構成はこれに限定されるものでは無く、例えば、図４に示す塵芥除去装置３１ように、スクリーンユニット４Ａから主軸２１及び縦フレーム２４を撤去して、バースクリーン４を上部軸受１４Ａ及び下部軸受１４Ｂで支持した構造など、各種構成が採用可能である。
【００２３】
なお、横バー２５の先端（外周側）に、搬送力を高めるために凹凸を設けても良い。但し、横バー２５が捕捉した塵芥がスイーパ７によってバースクリーン４から分離される作用を妨げず、塵芥の分離を円滑にできるものとするのはいうまでもない。
【００２４】
次に、本発明の第２実施形態の塵芥除去装置４１について、図５から図７を参照して説明する。なお、図１と同様に、図５〜図７において本川４２は、左側から右側に流れるものであって、図５左側を上流側、図５右側を下流側ということもある。
図５から図７において、塵芥除去装置４１は、本川４２から取水する取水口４３の両側壁部４４，４５に立設されたシーブ軸４６，４７と、両側のシーブ軸４６，４７に巻き掛けて取水口４３を横切るようにして両シーブ軸４６，４７間に張設した部分である張設部４９ａ、４９ｂを形成せしめた無端ワイヤ５０と、無端ワイヤ５０を回転駆動させる駆動部５７とを有している。
【００２５】
取水口４３を跨ぐようにして両側壁部４４，４５間に架設された支持フレーム５１には、シーブ軸４６，４７の上端部を回転自在に支持する上部軸受５２ａ，５２ｂが設けられており、また、取水口４３の底部４３ａには、シーブ軸４６，４７の下端部を回転自在に支持する下部軸受５３ａ，５３ｂが設けられており、各シーブ軸４６、４７は、上部軸受５２ａ、５２ｂと下部軸受５３ａ、５３ｂとによって、上下方向に延在するようにして設置されている。
【００２６】
この塵芥除去装置４１を構成する無端ワイヤ５０（具体的には、無端のワイヤロープ）は、一本のみである。無端ワイヤ５０は、シーブ軸４６，４７に上下多段に設けられているロープガイド５４，５５を利用して両シーブ軸４６，４７に繰り返し折り返すようにして巻き掛けることで、シーブ軸４６，４７間に上下多段の張設部４９ａ、４９ｂを形成している。シーブ軸４６においてロープガイド５４は上下方向に間隔を空けて多段に設けられており、シーブ軸４７におけるロープガイド５５も上下方向に間隔を空けて多段に設けられている。また、シーブ軸４６におけるロープガイド５４の上下方向の配列ピッチは、シーブ軸４７に設けられているロープガイド５５の上下方向の配列ピッチと揃えられている。
【００２７】
図５，図６に示すように、取水口４３を介して上流側の側壁部４４の側に設けられているシーブ軸４６のロープガイド５４と、取水口４３を介して下流側の側壁部４５の側に設けられているシーブ軸４７のロープガイド５５との間に前記無端ワイヤ５０の一部を張設したものである前記張設部４９ａ、４９ｂの内、符号４９ａの張設部は、シーブ軸４６，４７の本川４２に臨む側（以下、前面側とも言う）同士の間に張設された部分である。一方、符号４９ｂの張設部は、無端ワイヤ５０の内、シーブ軸４６，４７の前記前面側とは逆の側である背面側同士の間に張設された部分である（張設部４９ｂを、以下、背面側張設部とも言う）。無端ワイヤ５０は、該無端ワイヤ５０の内、上下で隣り合う張設部４９ａを形成する部分の間に位置する部分が、前記上下で隣り合う張設部４９ａの間に位置する背面側張設部４９ｂ（上下方向の位置が、上下で隣り合う張設部４９ａの間である背面側張設部４９ｂ）を形成するようにして、一対のシーブ軸４６、４７に繰り返し折り返すようにして巻き掛けられている。
一対のシーブ軸４６，４７間に上下多段に設けられた張設部４９ａは、本川４２から取水口４３へ流入する水流に含まれる塵芥を捕捉するスクリーン５６を形成する。
【００２８】
無端ワイヤ５０は、さらに、シーブ軸４７の上端部のロープガイド５５から引き出された部分が、シーブ軸４７の背面側（前面側とは逆の側）にて支持フレーム５１上に設置された駆動部５７のワイヤードラム５８に巻き掛けられ、また、このワイヤードラム５８から取水口４３の底部４３ａ側（図５下側）に引き出された部分が、取水口４３の底部４３ａに設置されている底部ロープガイド５９を介してシーブ軸５６の下端部のロープガイド５４に巻き掛けられている。
ワイヤードラム５８は、駆動部５７により回転駆動される。無端ワイヤ５０は、ワイヤードラム５８に複数回巻き付けているため、駆動部５７の回転駆動力が無端ワイヤ５０に確実に伝達されて、無端ワイヤ５０が送り移動されるようになっている。なお、駆動部５７は、例えば、電動モータであるが、これに限定されず、各種構成のものを採用できる。
【００２９】
この塵芥除去装置４１では、本川４２から取水口４３に流入する水流に含まれる塵芥を、スクリーン５６によって捕捉して、塵芥が取水口４３に流入することを防止する。そして、駆動部５７によってワイヤードラム５８を回転駆動させて、無端ワイヤ５０の内、スクリーン５６を構成する各張設部４９ａが前記本川４２の流れに沿う向きで移動するように、無端ワイヤ５０を送り移動（無端ワイヤ５０の回転駆動）する。これにより、スクリーン５６に捕捉された塵芥が、スクリーン５６の本川４２下流側端部へと移送される。本川４２から取水口４３への水の流れは、主としてスクリーン５６の本川４２上流側端部付近に存在し、スクリーン５６の本川４２下流側端部では、本川４２の水の流れが、本川４２から取水口４３への水の流れの影響を殆ど受けないため、スクリーン５６に捕捉された塵芥は、スクリーン５６の本川４２下流側端部に達すると、本川４２の水の流れによってスクリーン５６から押し流されるようにして分離される。また、本川４２の水の流れでスクリーン５６から分離されずに残った塵芥は、取水口４３の両側壁部４４、４５の内の本川４２下流側に位置する側壁部４５に設けられているスイーパ６０によって、スクリーン５６を構成する無端ワイヤ５０（張設部４９ａ）から掻き取るようにして分離される。スクリーン５６から分離された塵芥は、本川４２の水の流れに乗って、スクリーン５６から下流側に押し流される。
【００３０】
前記スイーパ６０は、板状に形成されたものであって、スクリーン５６側先端は櫛歯状となっている。図７（ａ），（ｂ）に示すように、このスイーパ６０の櫛歯は、スイーパ６０のスクリーン５６側先端に複数形成されたＶ溝状の凹所６０ａによって形成されている。スイーパ６０の櫛歯状の先端６０ｂは、ロープガイド５５間に嵌め込まれており、各張設部４９ａを構成する無端ワイヤ５０は、スイーパ６０の櫛歯状の先端６０ｂに近接するように配置されている。これにより、スイーパ６０は、スクリーン５６の無端ワイヤ５０が回転駆動されることで、スクリーン５６に捕捉されている塵芥を掻き取るようにして、無端ワイヤ５０から効率良く分離する。
無端ワイヤ５０の回転駆動は、必要時のみ、あるいは常時、あるいは間歇的（自動制御による間歇運転）のいずれでも良い。無端ワイヤ５０の回転を常時あるいは自動で一定時間毎に間歇的に行う構成を採用すれば、作業者がスクリーンに堪った塵芥を監視する手間が省けるといった利点もある。
【００３１】
また、取水口４３の本川４２上流側の側壁部４４には、スクリーン５６の無端ワイヤ５０の外端と接するようにして配置された防塵ゴム６１が設けられている。この防塵ゴム６１は、取水口４３の側壁部４４とスクリーン５６との間から塵芥が取水口４３内に流入することを防止する機能を果たす。
【００３２】
上記の構成からなる塵芥除去装置４１によれば、本川４２から取水口４３に流入する水流に含まれる塵芥をスクリーン５６によって捕捉することで、塵芥が取水口４３に流入することを防止するとともに、駆動部５７によって無端ワイヤ５０を回転駆動することで、スクリーン５６に捕捉された塵芥をスクリーン５６の本川４２下流側端部に向けて移送し、本川４２の水の流れやスイーパ６０によってスクリーン５６から塵芥を分離させるので、スクリーン５６に溜まった塵芥によって、本川４２から取水口４３への取水量が影響を受けるといった不都合を防止でき、所望の取水量の安定確保を実現できる。また、スクリーン５６に溜まった塵芥を引き揚げる作業が不要となるので、塵芥の引き揚げのための人手やコストを削減できる。
なお、この塵芥除去装置４１のスクリーン５６は、本川４２長手方向に延びる複数本の張設部４９ａを、本川４２の流れに沿った方向に送り移動する構成であることから、いわば、横バー式のスクリーンになっている。この横バー式のスクリーン５６であれば、横バーを構成する張設部４９ａは本川２の流れの方向Ｌに沿って延在しているため、本川２の流れに乗って移動してくる塵芥が横バー２５に絡まりにくい。このことから、スクリーン５６に捕捉された塵芥をスクリーン５６の回転駆動によって本川２に送り出すようにしてスクリーン４から分離することも容易であり、スクリーン５６に塵芥が溜まるといった不都合を確実に防止でき、所望の取水量の安定確保を容易に実現できる。
【００３３】
また、上記の構成の塵芥除去装置４１によれば、シーブ軸４６，４７間の間隔を変更することにより、スクリーン５６の幅（本川４２長手方向に沿った寸法）を簡単に変更することができるので、取水口４３の幅（本川４２長手方向に沿った寸法Ｗ１。図６（ｂ）参照）に合わせて塵芥除去装置４１のスクリーン５６の大きさを設定することができる。すなわち、取水口の大きさに合わせてスクリーン５６の幅を適切に設定できる寸法汎用性が確保できるため、これにより、従来の塵芥除去装置のように、取水口の大きさに合わせて適合する大きさの設備を建設する場合に比べて、設置コストの大幅削減を実現できる。
【００３４】
また、この塵芥除去装置４１は、シーブ軸４６，４７に無端ワイヤ５０を巻き掛けて構成したスクリーンユニット５６Ａ以外の構成、すなわち、駆動部５７のワイヤードラム５８等、スクリーンユニット５６Ａの外側にて無端ワイヤ５０を取り回すための構成は、前述の実施形態に限定されず、各種構成が採用可能である。また、この塵芥除去装置４１は、スクリーンユニット５６Ａを、取水口４３を横切るようにして設置するだけで、所望の機能を得ることができる。また、この塵芥除去装置４１は、スクリーンユニット５６Ａの設置スペースが小さくて済むため、小規模の取水口４３にも、容易に設置できるといった利点がある。取水口４３にスクリーンユニット５６Ａを設置するには、取水口４３に、一対のシーブ軸４６，４７と、両側（前面側及び背面側）の張設部４９ａ，４９ｂとを設置できるスペースを確保すれば良い。このため、取水口４３において、スクリーンユニット５６Ａを設置するための設置スペースとしては、取水口４３の奥行き方向（本川４２から見て奥行きの方向）の寸法が非常に小さくて済むといった利点がある。
【００３５】
なお、上記の塵芥除去装置４１を用いれば、図８及び図９に示すように、設置場所が堤防７０の取水口４３などであっても、堤防法面７１の傾斜に合わせてシーブ軸４６，４７を傾けることが可能である。この構成を用いれば、本川４２の流下断面を阻害せずにすむといった長所も得られる。
【図面の簡単な説明】
【００３６】
【図１】本発明の第１実施形態に係る塵芥除去装置を示す部分断面正面図である。
【図２】図１の塵芥除去装置の上面図である。
【図３】図１の塵芥除去装置のスイーパの拡大図である。
【図４】第１実施形態の塵芥除去装置に適用されるスクリーンユニットの別態様を示す部分断面正面図である。
【図５】この発明の第２の実施の形態に係る塵芥除去装置を示す正面図であって、右側が本川に臨む側を示す図、左側が取水口に臨む側を示す図である。
【図６】図５の塵芥除去装置を示す図であって、（ａ）は上面図、（ｂ）はＢ−Ｂ断面図である。
【図７】図１の塵芥除去装置のスイーパの拡大図であって、（ａ）はスイーパの拡大側面図、（ｂ）はスイーパの拡大断面図である。
【図８】図５の塵芥除去装置を堤防法面に設置した場合の正面図であって、右側が本川に臨む側を示す図、左側が取水口に臨む側を示す図である。
【図９】図８の塵芥除去装置のＥ−Ｅ側面図である。
【符号の説明】
【００３７】
１…塵芥除去装置、２…本川、３…取水口、４…スクリーン、６…駆動部、７…スイーパ、２５…横バー（スクリーンバー）、４１…塵芥除去装置、４２…本川、４３…取水口、４６…シーブ軸、４７…シーブ軸、４９…張設部、５０…無端ワイヤ、５６…スクリーン、５７…駆動部、６０…スイーパ
【図１】
2005194751.tif 000003
【図２】
2005194751.tif 000004
【図３】
2005194751.tif 000005
【図４】
2005194751.tif 000006
【図５】
2005194751.tif 000007
【図６】
2005194751.tif 000008
【図７】
2005194751.tif 000009
【図８】
2005194751.tif 000010
【図９】
2005194751.tif 000011